(57)【特許請求の範囲】
【請求項１】
光源の光を導光板で導くと共に、該導光板の指針軸挿通孔の周辺に形成された反射面により前記光を指針基端部方向へ反射させて指針を照明する指針照明構造において、
前記反射面が、前記指針基端部の投影面内の導光板の厚み方向に前記指針軸挿通孔へ導光される第１の光に対向させて斜めに設けられ前記第１の光を前記指針基端部方向へ反射させる第１反射面と、前記指針基端部の投影面内の前記指針の要発光範囲側で前記指針軸挿通孔の側部へ導光される第２の光の導光方向に沿う可及的に長い範囲内の導光板の厚み方向に前記第２の光に対向する複数の小反射面が階段状に形成されており、該複数の小反射面により前記第２の光を前記指針基端部方向へ反射させる第２反射面とから構成されており、
前記複数の小反射面が、前記指針軸挿通孔の側部へ導光される第２の光に対向させて導光板の厚み方向に斜めに設けられた傾斜面上にセレーションにより形成されていることを特徴とする指針照明構造。
【発明の詳細な説明】
【０００１】
【発明の属する技術分野】
本発明は、光源から発せられる光を指針に案内するための指針照明構造に関するものである。
【０００２】
【従来の技術】
この種の指針照明構造は、光源の光を導光板で導くと共に、該導光板の指針軸挿通孔の周辺に形成された反射面により前記光を指針基端部方向へ反射させて指針を照明するようになっている。
【０００３】
図３及び図４は、コンビネーションメータに組み込まれる燃料計に適用された従来の指針照明構造１００を示す。この指針照明構造１００は光源１０１の光Ｌ１  ，Ｌ２  ，Ｌ３  を導光板１０２で導くと共に、該導光板１０２の指針軸挿通孔１０２ａの周辺に形成された反射面１１０，１１１，１１２により前記光Ｌ１  ，Ｌ２  ，Ｌ３  を指針基端部２００ａ方向へ反射させて指針２００を照明するようになっている。図３及び図４中、符号１０３は文字板、符号１０３ａは文字板１０３上に施される意匠をそれぞれ示す。
【０００４】
すなわち指針軸挿通孔１０２ａへ導光された光Ｌ１  は、図４（ａ）に示すように傾斜角度θ０  ＝４５°で形成した第１反射面１１０で反射されて反射光Ｒ１  となって指針基端部２００ａに入射し、これによって指針２００が発光する。図４（ａ）中、符号２０１は指針軸である。
【０００５】
また指針２００の要発光範囲ａ（図３参照）内で指針軸挿通孔１０２ａの側部に導光された光Ｌ２  は、図４（ｂ）（指針２００を省略して示す）に示すように第２反射面１１１（傾斜角度４５°）で反射されて反射光Ｒ２  となって指針基端部２００ａに入射し、これによって指針２００が発光する。このとき光Ｌ２  は第２反射面１１１で遮られてその先のｂ部分（図４（ｂ））へは到達しないので、このｂ部分からの入射光による指針２００の発光は起こらない。このため従来は前記したｂ部分からの入射光を次のようにして作り出し指針２００の発光を行っている。
【０００６】
すなわち導光板１０２にスリット１１３を形成し、このスリット１１３に導光された光Ｌ３  はスリット１１３の壁面で反射されて前記したｂ部分に形成した第３反射面１１２（傾斜角度４５°）に導光され、この第３反射面１１２で反射されて反射光Ｒ３  となって指針基端部２００ａに入射する入射光となる（図４（ｃ））。この反射光Ｒ３  により指針２００は発光する。
【０００７】
そして指針２００は各反射面１１０，１１１，１１２により発生する各反射光Ｒ１  ，Ｒ２  ，Ｒ３  により要発光範囲ａ内で発光することができる。
【０００８】
この類似技術は、実開昭６３−１３７８２２号公報，及び実開昭５６−９２９９０号公報に開示されている。
【０００９】
【発明が解決しようとする課題】
しかしながら従来の指針照明構造１００は、スリット１１３と第３反射面１１２とを形成するため設計の複雑化を招くばかりでなく、スリット１１３と文字板１０３の意匠１０３ａとが干渉して意匠１０３ａに影が現出する恐れがある、という課題を有している。
【００１０】
その上従来の指針照明構造１００は、光Ｌ３  の反射回数が多くかつ光路が長いため光の減衰を招き、これにより指針２００の高輝度化が図れない、という課題をも有している。
【００１１】
本発明は上述の点に着目してなされたもので、構造簡単で設計容易であると共に、光の減衰を招くこと無く指針の高輝度化を図ることができる指針照明構造を提供することを目的とする。
【００１２】
【課題を解決するための手段】
前記した目的を達成するため請求項１記載の発明は、光源の光を導光板で導くと共に、該導光板の指針軸挿通孔の周辺に形成された反射面により前記光を指針基端部方向へ反射させて指針を照明する指針照明構造において、前記反射面が、前記指針基端部の投影面内の導光板の厚み方向に前記指針軸挿通孔へ導光される第１の光に対向させて斜めに設けられ前記第１の光を前記指針基端部方向へ反射させる第１反射面と、前記指針基端部の投影面内の前記指針の要発光範囲側で前記指針軸挿通孔の側部へ導光される第２の光の導光方向に沿う可及的に長い範囲内の導光板の厚み方向に前記第２の光に対向する複数の小反射面が階段状に形成されており、該複数の小反射面により前記第２の光を前記指針基端部方向へ反射させる第２反射面とから構成されており、
前記複数の小反射面が、前記指針軸挿通孔の側部へ導光される第２の光に対向させて導光板の厚み方向に斜めに設けられた傾斜面上にセレーションにより形成されていることを特徴とするものである。
【００１３】
このため、請求項１記載の発明では、光源から出射した第１及び第２の光はそれぞれ光路を変更すること無く導光板で導光されて直接第１及び第２反射面に到達し、これら反射面で反射されて指針基端部に入射し指針を発光させることができる。そしてこの第２反射面は指針基端部の投影面内の第２の光の導光方向に沿う可及的に長い範囲内に階段状に形成された複数の小反射面で構成されているので、指針基端部への入射光は第２の光の前記した複数の小反射面による反射で前記した可及的に長い範囲で得られる。
【００１５】
また、請求項１記載の発明では、傾斜面は反射に要する傾斜角度にこだわらずに適宜な傾斜角度で必要な長さに形成することができる。
【００１６】
【発明の実施の形態】
以下、本発明を図面に示す実施の形態に基づいて説明する。なお、図３及び図４と同一部材は同一符号で示している。
【００１７】
図１及び図２は、コンビネーションメータに組み込まれる燃料計に適用された本発明の一実施形態としての指針照明構造１０を示す。この指針照明構造１０は、光源１０１の第１及び第２の光Ｌ１  及びＬ２  を導光板１０２で導くと共に、該導光板１０２の指針軸挿通孔１０２ａの周辺に形成された第１及び第２反射面１及び２により第１及び第２の光Ｌ１  及びＬ２  をそれぞれ指針基端部２００ａ方向へ反射させて指針２００を照明するようになっている。図１及び図２中、符号１０３は導光板１０２上に載置される文字板、符号１０３ａは文字板１０３上に施された意匠をそれぞれ示す。
【００１８】
第１反射面１は、指針基端部２００ａの投影面内（指針基端部２００ａの外郭線の内側に対応する面内）の導光板１０２の厚み方向に指針軸挿通孔１０２ａへ導光される第１の光Ｌ１  に対向させて傾斜角度θ１  ＝４５°の傾斜面として形成されている（図２（ａ）参照）。第１の光Ｌ１  は第１反射面１で反射されて反射光Ｒ１  となって指針基端部２００ａに入射し、これによって指針２００が発光する。図２（ａ）中、符号２０１は指針軸であり、指針２００はその指針基端部２００ａを指針軸２０１の先端に固着して取り付けられている。
【００１９】
第２反射面２は、指針基端部２００ａの投影面内の指針２００の要発光範囲ａ（図１参照）側で指針軸挿通孔１０２ａの側部へ導光される第２の光Ｌ２  の導光方向に沿う可及的に長い範囲内の導光板１０２の厚み方向に第２の光Ｌ２  に対向して階段状に形成された複数の小反射面２１  ，２２  ，…，２ｎ  を有して構成されている（図２（ｂ）参照）。
【００２０】
具体的には、第２反射面２は指針軸挿通孔１０２ａの側部へ導光される第２の光Ｌ２  に対向させて導光板１０２の厚み方向に斜めに設けられた傾斜面３上にセレーションにより複数の小反射面２１  ，２２  ，…，２ｎ  を形成することにより形成される。このとき傾斜面３は反射に要する傾斜角度にこだわらずに適宜な傾斜角度θ３  で必要な長さに形成することができ、本実施形態では第２の光Ｌ２  の導光方向に沿って指針基端部２００ａの投影面の略全長に渡って形成されている。そして各小反射面２１  ，２２  ，…，２ｎ  は傾斜面３の全長に渡って傾斜角度θ２  ＝４５°の傾斜面として形成されている。
【００２１】
この第２反射面２では第２の光Ｌ２  は、図２（ｂ）に示すように第２反射面２の各小反射面２１  ，２２  ，…，２ｎ  の全部で反射されて反射光Ｒ１０となって指針基端部２００ａに入射し、これによって指針２００が発光する。なお、図２（ｂ）は指針２００を省略してある。
【００２２】
このように構成された指針照明構造１０によれば、指針２００は各反射面１，２により発生する各反射光Ｒ１  ，Ｒ１０により要発光範囲ａ内で発光することができる。このとき光源１０１から出射した第１及び第２の光Ｌ１  及びＬ２  はそれぞれ光路を変更すること無く導光板１０２で導光されて直接第１及び第２反射面１及び２に到達し、これら反射面１，２で反射されて指針基端部２００ａに入射し指針２００を発光させることができる。これにより指針照明構造１０は光路を変更するスリット等が不要となり構造簡単で設計容易なものとなっている。
【００２３】
またこの指針照明構造１０は、光路変更に伴う光の減衰を招くことも無く、かつ指針基端部２００ａへの入射光が指針基端部２００ａの投影面内の可及的に長い範囲で得られる第２の光Ｌ２  の反射光Ｒ１０となっているので、十分な入射光量による指針２００の高輝度化を図ることができる。
【００２４】
その上この指針照明構造１０は導光板１０２内にスリット等を設けることがないので、文字板１０３の意匠１０３ａをスリット等との干渉に起因する陰影を伴うことなく鮮明に照明することができ、これにより照明品質の向上をも図ることができる。
【００２５】
またこの指針照明構造１０は、反射に要する傾斜角度にこだわらずに適宜な傾斜角度で必要な長さに形成された傾斜面３上に形成されるセレーションにより複数の小反射面２１  ，２２  ，…，２ｎ  を形成するようにしたので成形容易なものとなっている。
【００２６】
【発明の効果】
以上、詳述したように請求項１記載の発明によれば、光源から出射した第１及び第２の光はそれぞれ光路を変更すること無く導光板で導光されて直接第１及び第２反射面に到達し、これら反射面で反射されて指針基端部に入射し指針を発光させることができるので、光路変更用のスリット等が不要となり構造簡単で設計容易なものとなっている。
【００２７】
また請求項１記載の発明によれば、光路変更に伴う光の減衰を招くことも無く、かつ指針基端部への入射光が指針基端部の投影面内の可及的に長い範囲で得られる第２の光の反射光となっているので、十分な入射光量による指針の高輝度化を図ることができる。
【００２８】
さらに請求項１記載の発明によれば、導光板内にスリット等を設けることがないので、文字板の意匠を鮮明に照明することができ、これにより照明品質の向上をも図ることができる。
【００２９】
またさらに、請求項１記載の発明によれば、反射に要する傾斜角度にこだわらずに適宜な傾斜角度で必要な長さに形成された傾斜面上に形成されるセレーションにより複数の小反射面を形成するようにしたので成形容易なものとなっている。
【図面の簡単な説明】
【図１】本発明の一実施の形態としての指針照明構造を示す平面図である。
【図２】（ａ）は図１のＩＩａ−ＩＩａ線断面図であり、（ｂ）は図１のＩＩｂ−ＩＩｂ線断面図である。
【図３】従来の指針照明構造の平面図である。
【図４】（ａ）は図３のＩＶａ−ＩＶａ線断面図であり、（ｂ）は図３のＩＶｂ−ＩＶｂ線断面図であり、（ｃ）は図３のＩＶｃ−ＩＶｃ線断面図である。
【符号の説明】
１  第１反射面
２  第２反射面
２１  ，２２  ，…，２ｎ    小反射面
３  傾斜面
１０  指針照明構造
１０１  光源
１０２  導光板
１０２ａ  指針軸挿通孔
２００  指針
２００ａ  指針基端部
ａ  要発光範囲
Ｌ１    第１の光
Ｌ２    第２の光
【図１】
0003545571.tif 000002
【図２】
0003545571.tif 000003
【図３】
0003545571.tif 000004
【図４】
0003545571.tif 000005